(57)【要約】【課題】１つの室外機に空冷式と水冷式の２系統の室外熱交換器を設け、冷房・暖房運転と温水を利用した再熱利用形の多目的用のマルチ型空気調和機を提供する。【解決手段】室外熱交換器を空冷式の第１室外熱交換器３ａと、水冷式の第２室外熱交換器３ｂとから構成し、運転状況に応じて各開閉弁を夫々開閉制御すると共に、各絞り機構及び各膨張弁の開度を制御することにより、第１室内熱交換器５ａ及び第２室内熱交換器５ｂが、冷房運転または暖房運転を同時に、またはいずれか一方のみ行うことができると共に、利用側貯水槽１２への温水または冷水の供給と、水循環室内熱交換器１３の冷房運転または暖房運転を同時に、またはいずれか一方のみ行うことができ、第１室外熱交換器３ａ及び第２室外熱交換器３ｂが、凝縮器と蒸発器とを選択的に行うことができるようにした。【選択図】　図１
2004020068.tif 000002
【特許請求の範囲】
【請求項１】
圧縮機、四方弁、室外熱交換器、絞り機構からなる室外ユニットと、前記絞り機構と前記四方弁に並列に、第１室内ユニットを構成する第１室内熱交換器と、第２室内ユニットを構成する第２室内熱交換器を接続して冷媒回路を形成してなるマルチ型空気調和機において、
前記室外熱交換器を空気の送風による空冷式の第１室外熱交換器と、水の循環による水冷式の第２室外熱交換器とから構成し、前記四方弁と前記各室内ユニットとの間に、第１開閉弁、前記第１室外熱交換器、第１絞り機構からなる直列回路と、第２開閉弁、前記第２室外熱交換器、第２絞り機構からなる直列回路とを夫々接続し、前記第１絞り機構と前記四方弁との間に、第１膨張弁、前記第１室内熱交換器、第３開閉弁を直列に、第２膨張弁、前記第２室内熱交換器、第４開閉弁を直列に夫々接続し、前記圧縮機の吐出側と前記第２室外熱交換器の冷房時の入口側間に、第５開閉弁を備えた第１バイパス路を設け、前記第２室外熱交換器の冷房時の入口側と、前記第４開閉弁と前記四方弁の接続点との間に、第６開閉弁を備えた第２バイパス路を設け、前記第２室外熱交換器の水循環路の入口側に第７開閉弁を介して水供給タンクを設け、同水供給タンクに第８開閉弁を介して水道管を接続し、前記水循環路の出口側に、入口に第９開閉弁を、出口に第１０開閉弁を備えた利用側貯水槽と、同じく入口に第１１開閉弁を、出口に第１２開閉弁を備えた水循環室内熱交換器とを並列に接続し、前記第１０開閉弁と前記第１２開閉弁の接続点と、前記水循環路の途中間とを水循環ポンプを介して接続し、運転状況に応じて前記各開閉弁を夫々開閉制御すると共に、前記各絞り機構及び前記各膨張弁の開度を制御することにより、前記第１室内熱交換器及び前記第２室内熱交換器が、冷房運転または暖房運転を、同時またはいずれか一方のみ行うことができると共に、前記利用側貯水槽への温水または冷水の供給と、前記水循環室内熱交換器の冷房運転または暖房運転を、同時またはいずれか一方のみ行うことができ、前記第１室外熱交換器及び前記第２室外熱交換器が、凝縮器と蒸発器とを選択的に行うことができるようにしたことを特徴とするマルチ型空気調和機。
【請求項２】
前記第１室外熱交換器により、前記第１室内熱交換器及び前記第２室内熱交換器を、同時冷房運転または同時暖房運転する場合、前記第５開閉弁、前記第６開閉弁、前記第２開閉弁及び前記第２絞り機構を閉じ、前記第１開閉弁、前記第３開閉弁及び前記４開閉弁を開き、前記第１絞り機構、前記第１膨張弁及び前記第２膨張弁を絞り状態にしてなることを特徴とする請求項１記載のマルチ型空気調和機。
【請求項３】
前記第２室外熱交換器により、前記第１室内熱交換器及び前記第２室内熱交換器を、同時冷房運転すると共に、前記利用側貯水槽へ温水を供給すると同時に、前記水循環室内熱交換器を暖房運転する場合、前記第５開閉弁、前記第６開閉弁、前記第１開閉弁及び前記第１絞り機構を閉じ、前記第２開閉弁、前記第３開閉弁及び前記４開閉弁を開き、前記第２絞り機構、前記第１膨張弁及び前記第２膨張弁を絞り状態にする一方、前記第９開閉弁、前記第１０開閉弁、前記第１１開閉弁及び前記１２開閉弁を開き、前記第２室外熱交換器内の温水を、前記水循環ポンプにより前記利用側貯水槽及び前記水循環室内熱交換器に循環させてなることを特徴とする請求項１記載のマルチ型空気調和機。
【請求項４】
前記第２室外熱交換器により、前記第１室内熱交換器及び前記第２室内熱交換器を、同時暖房運転すると共に、前記利用側貯水槽へ冷水を供給すると同時に、前記水循環室内熱交換器を冷房運転する場合、前記第１開閉弁、前記２開閉弁、前記５開閉弁及び前記第１絞り機構を閉じ、前記第３開閉弁、前記第４開閉弁及び前記６開閉弁を開き、前記第１膨張弁、前記第２膨張弁及び前記第２絞り機構を絞り状態にする一方、前記第９開閉弁、前記第１０開閉弁、前記第１１開閉弁及び前記１２開閉弁を開き、前記第２室外熱交換器内の冷水を、前記水循環ポンプにより前記利用側貯水槽及び前記水循環室内熱交換器に循環させてなることを特徴とする請求項１記載のマルチ型空気調和機。
【請求項５】
前記第１室内熱交換器及び前記第２室内熱交換器の運転を停止し、前記第２室外熱交換器により、前記利用側貯水槽へ温水を供給すると同時に、前記水循環室内熱交換器を暖房運転する場合、前記第２開閉弁、前記３開閉弁、前記４開閉弁、前記第１膨張弁及び前記第２膨張弁を閉じ、前記第１開閉弁、前記第５開閉弁、前記６開閉弁及び前記第１絞り機構を開き、前記第２絞り機構を絞り状態にする一方、前記第９開閉弁、前記第１０開閉弁、前記第１１開閉弁及び前記１２開閉弁を開き、前記第２室外熱交換器内の温水を、前記水循環ポンプにより前記利用側貯水槽及び前記水循環室内熱交換器に循環させてなることを特徴とする請求項１記載のマルチ型空気調和機。
【請求項６】
前記水循環ポンプと並列に、リリーフ弁を備えた第３バイパス路を設けてなることを特徴とする請求項１記載のマルチ型空気調和機。
【請求項７】
前記第１０開閉弁と前記第１２開閉弁の接続点に、循環水を取水する取水バルブを備えた蛇口を設けてなることを特徴とする請求項１記載のマルチ型空気調和機。
【請求項８】
前記水供給タンク内に、水面の高さを検知し、前記第８開閉弁の開閉を制御するフロートスイッチを設けてなることを特徴とする請求項１記載のマルチ型空気調和機。
【請求項９】
前記利用側貯水槽が温水プール又は浴槽からなることを特徴とする請求項１記載のマルチ型空気調和機。
【請求項１０】
前記水循環室内熱交換器を温水プール室または、および浴室に配置してなることを特徴とする請求項１記載のマルチ型空気調和機。
【請求項１１】
前記各開閉弁に電磁弁を用いてなることを特徴とする請求項１乃至５のいずれかに記載のマルチ型空気調和機。
【請求項１２】
前記取水バルブに電磁弁又は手動式開閉弁を用いてなることを特徴とする請求項７記載のマルチ型空気調和機。
【発明の詳細な説明】
【０００１】
【発明の属する技術分野】
本発明は、マルチ型空気調和機に係わり、より詳しくは、１つの室外機に空冷式と水冷式の２系統の室外熱交換器を設け、冷房・暖房運転と温水を利用した再熱利用形の多目的用空気調和機の冷媒回路の構成に関する。
【０００２】
【従来の技術】
従来のこの種の再熱利用形（又は熱回収形）空気調和機は、例えば図９に示す特開平５−３０６８４８公報に記載されたものがある。図９に示すように室外ユニット５１内には圧縮機２１と室外熱交換器２２および吐出管切換機構２３ａ　、吸入管切換機構２４ａ　および絞り機構２５ａ　が設けてある。圧縮機２１の吐出管２６には分岐部２６ａ　が設けてあり、その分岐部２６ａ　より吐出管切換機構２３ａ　を介して室外熱交換器２２の一端に接続される。同様に圧縮機２１の吸入管２７には分岐部２７ｂ　が設けてあり、その分岐部２７ｂ　より吸入管切換機構２４ａ　を介して、室外熱交換器２２の一端の吐出管切換機構２３ａ　通過後の配管に分岐接続されている。また室外熱交換器２２の他端には絞り機構２５ａ　を設けてある。室外ユニット５１からの配管は吐出管２６、吸入管２７および絞り機構２５ａ　を介して分岐接続する接続配管２８の３本であり、これらが切換ユニット部５２に接続されている。切換ユニット部５２内には吐出管２６からそれぞれの室内熱交換器２９ａ　〜ｃに、吐出管切換機構２３ｂ　〜ｄを介して分岐接続されている。同様に吸入管２７も分岐接続された後に、吸入管切換装置２４ｂ〜ｄを介してそれぞれの吐出管切換機構２３ｂ〜ｄ通過後の配管に分岐接続されている。また絞り機構２５ａ　通過後の接続配管２８も室内熱交換器２９ａ〜ｃに対応した絞り機構２５ｂ〜ｄを介して分岐接続されている。
【０００３】
上記構成によりその運転動作を説明する。全ての室内熱交換器が通常の冷房運転を行う場合は、室外ユニット５１では吐出管切換機構２３ａ　を開き、吸入管切換機構２４ａ　を閉じて絞り機構２５ａ　は全開に開くようにする。また切換ユニット部５２においては吐出管切換機構２３ｂ〜ｄを閉じ、吸入管切換機構２４ｂ〜ｄを開き、絞り機構２５ｂ〜ｄを各室内熱交換器の要求能力からその開度を決めて運転を行う。その結果冷媒は圧縮機２１から吐出され、室外熱交換器２２を通過後接続配管２８から分流され絞り機構２５ｂ〜ｄにより、所定の冷媒量が各室内熱交換器２９ａ〜ｃに流れ、室内を冷房した後に、吸入管切換機構２４ｂ〜ｄを介して吸入管２７により圧縮機２１に吸入される。
【０００４】
次にすべての室内ユニットが通常の暖房運転を行う場合の運転動作を説明する。室外ユニット５１では吐出管切換装置２３ａ　を閉じ、吸入管切換機構２４ａ　を開いて絞り機構２５ａ　は能力に合わせて開度を開くようにする。また切換ユニット部５２においては吐出管切換装置２３ｂ〜ｄを開き、吸入管切換機構２４ｂ〜ｄを閉じ、絞り機構２５ｂ〜ｄを各室内ユニットの要求能力からその開度を決めて運転を行う。その結果冷媒は圧縮機２１から吐出され、吐出管２７から分流され、吐出管切換機構２３ｂ〜ｄを介して各室内熱交換器２９ａ〜ｃを所定の流量が流れ暖房した後に、接続配管２８から絞り機構２５ａ　、室外熱交換器２２、吸入管切換機構２４ａ　を介して、圧縮機２１に吸入される。
【０００５】
また暖房時において、室内ユニットを停止するとき、たとえば室内熱交換器２９ａのみを停止するときには吐出管切換機構２３ｂを閉じ、吸入管切換機構２４ｂを開け、絞り機構２５ｂを全閉すれば良い。ここで、外気温が氷点下近くまで低下し、暖房運転を続けていると室外熱交換器２２の着霜等により暖房能力が低下してくる。このとき停止している室内熱交換器２９ａの部屋に人がいない情報と、室内温度、外気温度、および冷媒の状態の情報を取入れ判断し、室内熱交換器２９ａのおかれている部屋からの熱回収運転（冷房）を行うように、停止の状態から絞り機構２５ａの開度を調整し、冷媒が流れるようにする。以上の操作により室内熱交換器２９ｂ〜ｃで暖房（凝縮）を行った冷媒は絞り機構２５ｂを介して室内熱交換器２９ａに入り、蒸発することにより室内の熱を回収する。また蒸発圧力も室外に比べ高くとれるために、暖房能力の低下を防止できる。
【０００６】
また人が在室しておらず室内熱交換器が停止して、かつ外気に比べ他の室内熱交換器の設定温度に近い場合、たとえば冬期居間にある室内ユニットにおいて空調を行っていたが、就寝のために居間から別の室内ユニットの寝室に人が移動した場合を考える。移動した直後はまだ居間の温度が外気に比べ十分高く、そのままでは最終的に室内の熱が外部に自然放熱されてしまう。このように空調を必要とする寝室の室内ユニットに熱を移動させ有効利用することが可能となる。
【０００７】
このように熱回収型マルチエアコンによれば、人が在室しておらず停止している室内ユニットを検知することにより、その室内ユニットから熱を回収し、空調を必要とする他の室内ユニットへ熱を移動することにより、全体として効率の良い運転や、住宅全体の熱の有効利用が可能となる。
しかしながら、上記従来の構成では、空調を目的をした再熱利用には有効であるが、空調と共に温水を利用した温水プ─ル、風呂場、台所用水及びシャワ─用水等の多目的利用の再熱利用を行うことは不可能である。
【０００８】
【発明が解決しようとする課題】
本発明においては、前記問題点に鑑み、１つの室外機に空冷式と水冷式の２系統の室外熱交換器を設け、冷房・暖房運転と温水を利用した再熱利用形の多目的用のマルチ型空気調和機を提供することを目的としている。
【０００９】
【課題を解決するための手段】
本発明は上記の課題を解決するためになされたもので、圧縮機、四方弁、室外熱交換器、絞り機構からなる室外ユニットと、前記絞り機構と前記四方弁に並列に、第１室内ユニットを構成する第１室内熱交換器と、第２室内ユニットを構成する第２室内熱交換器を接続して冷媒回路を形成してなるマルチ型空気調和機において、
前記室外熱交換器を空気の送風による空冷式の第１室外熱交換器と、水の循環による水冷式の第２室外熱交換器とから構成し、前記四方弁と前記各室内ユニットとの間に、第１開閉弁、前記第１室外熱交換器、第１絞り機構からなる直列回路と、第２開閉弁、前記第２室外熱交換器、第２絞り機構からなる直列回路とを夫々接続し、前記第１絞り機構と前記四方弁との間に、第１膨張弁、前記第１室内熱交換器、第３開閉弁を直列に、第２膨張弁、前記第２室内熱交換器、第４開閉弁を直列に夫々接続し、前記圧縮機の吐出側と前記第２室外熱交換器の冷房時の入口側間に、第５開閉弁を備えた第１バイパス路を設け、前記第２室外熱交換器の冷房時の入口側と、前記第４開閉弁と前記四方弁の接続点との間に、第６開閉弁を備えた第２バイパス路を設け、前記第２室外熱交換器の水循環路の入口側に第７開閉弁を介して水供給タンクを設け、同水供給タンクに第８開閉弁を介して水道管を接続し、前記水循環路の出口側に、入口に第９開閉弁を、出口に第１０開閉弁を備えた利用側貯水槽と、同じく入口に第１１開閉弁を、出口に第１２開閉弁を備えた水循環室内熱交換器とを並列に接続し、前記第１０開閉弁と前記第１２開閉弁の接続点と、前記水循環路の途中間とを水循環ポンプを介して接続し、運転状況に応じて前記各開閉弁を夫々開閉制御すると共に、前記各絞り機構及び前記各膨張弁の開度を制御することにより、前記第１室内熱交換器及び前記第２室内熱交換器が、冷房運転または暖房運転を、同時またはいずれか一方のみ行うことができると共に、前記利用側貯水槽への温水または冷水の供給と、前記水循環室内熱交換器の冷房運転または暖房運転を、同時またはいずれか一方のみ行うことができ、前記第１室外熱交換器及び前記第２室外熱交換器が、凝縮器と蒸発器とを選択的に行うことができるようにした構成となっている。
【００１０】
また、前記第１室外熱交換器により、前記第１室内熱交換器及び前記第２室内熱交換器を、同時冷房運転または同時暖房運転する場合、前記第５開閉弁、前記第６開閉弁、前記第２開閉弁及び前記第２絞り機構を閉じ、前記第１開閉弁、前記第３開閉弁及び前記４開閉弁を開き、前記第１絞り機構、前記第１膨張弁及び前記第２膨張弁を絞り状態にしてなる構成となっている。
【００１１】
また、前記第２室外熱交換器により、前記第１室内熱交換器及び前記第２室内熱交換器を、同時冷房運転すると共に、前記利用側貯水槽へ温水を供給すると同時に、前記水循環室内熱交換器を暖房運転する場合、前記第５開閉弁、前記第６開閉弁、前記第１開閉弁及び前記第１絞り機構を閉じ、前記第２開閉弁、前記第３開閉弁及び前記４開閉弁を開き、前記第２絞り機構、前記第１膨張弁及び前記第２膨張弁を絞り状態にする一方、前記第９開閉弁、前記第１０開閉弁、前記第１１開閉弁及び前記１２開閉弁を開き、前記第二室外熱交換器内の温水を、前記水循環ポンプにより前記利用側貯水槽及び前記水循環室内熱交換器に循環させてなる構成となっている。
【００１２】
また、前記第２室外熱交換器により、前記第１室内熱交換器及び前記第２室内熱交換器を、同時暖房運転すると共に、前記利用側貯水槽へ冷水を供給すると同時に、前記水循環室内熱交換器を冷房運転する場合、前記第１開閉弁、前記２開閉弁、前記５開閉弁及び前記第１絞り機構を閉じ、前記第３開閉弁、前記第４開閉弁及び前記６開閉弁を開き、前記第１膨張弁、前記第２膨張弁及び前記第２絞り機構を絞り状態にする一方、前記第９開閉弁、前記第１０開閉弁、前記第１１開閉弁及び前記１２開閉弁を開き、前記第２室外熱交換器内の冷水を、前記水循環ポンプにより前記利用側貯水槽及び前記水循環室内熱交換器に循環させてなる構成となっている。
【００１３】
また、前記第１室内熱交換器及び前記第２室内熱交換器の運転を停止し、前記第２室外熱交換器により、前記利用側貯水槽へ温水を供給すると同時に、前記水循環室内熱交換器を暖房運転する場合、前記第２開閉弁、前記３開閉弁、前記４開閉弁、前記第１膨張弁及び前記第２膨張弁を閉じ、前記第１開閉弁、前記第５開閉弁、前記６開閉弁及び前記第１絞り機構を開き、前記第２絞り機構を絞り状態にする一方、前記第９開閉弁、前記第１０開閉弁、前記第１１開閉弁及び前記１２開閉弁を開き、前記第２室外熱交換器内の温水を、前記水循環ポンプにより前記利用側貯水槽及び前記水循環室内熱交換器に循環させてなる構成となっている。
【００１４】
また、前記水循環ポンプと並列に、リリーフ弁を備えた第３バイパス路を設けた構成となっている。
【００１５】
また、前記第１０開閉弁と前記第１２開閉弁の接続点に、循環水を取水する取水バルブを備えた蛇口を設けた構成となっている。
【００１６】
また、前記水供給タンク内に、水面の高さを検知し、前記第８開閉弁の開閉を制御するフロートスイッチを設けた構成となっている。
【００１７】
また、前記利用側貯水槽が温水プール又は浴槽からなる構成となっている。
【００１８】
また、前記水循環室内熱交換器を温水プール室または、および浴室に配置してなる構成となっている。
【００１９】
また、前記各開閉弁に電磁弁を用いた構成となっている。
【００２０】
また、前記取水バルブに電磁弁又は手動式開閉弁を用いた構成となっている。
【００２１】
【発明の実施の形態】
以下、本発明の実施の形態を添付図面を参照して詳細に説明する。
図１は、本発明の多目的用のマルチ型空気調和機の一実施例を示す冷媒回路図である。図において、マルチ型空気調和機の基本構成は、圧縮機１と、四方弁２と、空気の送風による空冷式の第１室外熱交換器３ａと、水の循環による水冷式の第２室外熱交換器３ｂと、第１絞り機構４ａと、第２絞り機構４ｂからなる室外ユニットＡと、前記第１絞り機構４ａと前記四方弁２に並列に接続され、第１室内ユニットＢ１を構成する第１室内熱交換器５ａと、第２室内ユニットＢ２を構成する第２室内熱交換器５ｂとからなり、これらを順次配管接続して冷媒回路を構成している。
【００２２】
前記四方弁２と前記各室内ユニットＢ１，Ｂ２　との間に、第１開閉弁６ａ、前記第１室外熱交換器３ａ、第１絞り機構４ａからなる直列回路を、第２開閉弁６ｂ、前記第２室外熱交換器３ｂ、第２絞り機構４ｂからなる直列回路を夫々接続し、前記第１絞り機構４ａと前記四方弁２との間に、第１膨張弁７ａ、前記第１室内熱交換器５ａ、第３開閉弁６ｃを直列に、第２膨張弁７ｂ、前記第２室内熱交換器５ｂ、第４開閉弁６ｄを直列に夫々接続し、前記圧縮機１の吐出側１ａと前記第２室外熱交換器３ｂの冷房時の入口側間に、第５開閉弁６ｅを備えた第１バイパス路８ａを設け、前記第２室外熱交換器３ｂの冷房時の入口側と、前記第４開閉弁６ｄと前記四方弁２の接続点との間に、第６開閉弁６ｆを備えた第２バイパス路８ｂを設けた構成となっている。
【００２３】
前記第２室外熱交換器３ｂの水循環路９の入口側９ａに第７開閉弁６ｇを介して水供給タンク１０を設け、同水供給タンク１０に第８開閉弁６ｈを介して水道管１１を接続し、前記水循環路９の出口側９ｂに、入口に第９開閉弁６ｉを、出口に第１０開閉弁６ｊを備えた利用側貯水槽１２と、同じく入口に第１１開閉弁６ｋを、出口に第１２開閉弁６Ｌを備えた水循環室内熱交換器１３とを並列に接続し、前記第１０開閉弁６ｊと前記第１２開閉弁６Ｌの接続点と、前記水循環路９の途中９ｃ間とを水循環ポンプ１４を介して接続した構成となっている。
【００２４】
上記構成において、運転状況に応じて前記各開閉弁を夫々開閉制御すると共に、前記各絞り機構及び前記各膨張弁の開度を制御部１７にて制御することにより、前記第１室内熱交換器５ａ及び前記第２室内熱交換器５ｂが、冷房運転または暖房運転を同時に、またはいずれか一方のみ行うことができると共に、前記利用側貯水槽１２への温水または冷水の供給と、前記水循環室内熱交換器１３の冷房運転または暖房運転を同時に、またはいずれか一方のみ行うことができ、前記第１室外熱交換器３ａ及び前記第２室外熱交換器３ｂが、凝縮器と蒸発器とを選択的に行うことができるようにした構成となっている。
【００２５】
また、第一の実施例として図１及び図２に示すように、前記第２室外熱交換器３ｂを使用せずに、前記第１室外熱交換器３ａにより、前記第１室内熱交換器５ａ及び前記第２室内熱交換器５ｂを、同時冷房運転または同時暖房運転する場合、前記第５開閉弁６ｅ、前記第６開閉弁６ｆ、前記第２開閉弁６ｂ及び前記第２絞り機構４ｂを閉じ、前記第１開閉弁６ａ、前記第３開閉弁６ｃ及び前記４開閉弁６ｄを開き、前記第１絞り機構４ａ、前記第１膨張弁７ａ及び前記第２膨張弁７ｂを絞り状態にし、前記四方弁２を切り替え、冷房運転時に実線矢印に示すように冷媒を流し、暖房運転時には破線矢印に示すように冷媒を流す構成となっている。
【００２６】
また、第二の実施例として図３及び図４に示すように、前記第１室外熱交換器３ａを使用せず、前記第２室外熱交換器３ｂにより、前記第１室内熱交換器５ａ及び前記第２室内熱交換器５ｂを、同時冷房運転すると共に、前記利用側貯水槽１２へ温水を供給すると同時に、前記水循環室内熱交換器１３を暖房運転する場合、前記第５開閉弁６ｅ、前記第６開閉弁６ｆ、前記第１開閉弁６ａ及び前記第１絞り機構４ａを閉じ、前記第２開閉弁６ｂ、前記第３開閉弁６ｃ及び前記４開閉弁６ｄを開き、前記第２絞り機構４ｂ、前記第１膨張弁７ａ及び前記第２膨張弁７ｂを絞り状態にする一方、前記第９開閉弁６ｉ、前記第１０開閉弁６ｊ、前記第１１開閉弁６ｋ及び前記１２開閉弁６Ｌを開き、前記第２室外熱交換器内３ｂの温水を、前記水循環ポンプ１４により前記利用側貯水槽１２及び前記水循環室内熱交換器１３に循環させ、実線矢印で示すように冷媒を流し、破線矢印で示すように水を流す構成となっている。
【００２７】
また、第三の実施例として図５及び図６に示すように、前記第１室外熱交換器３ａを使用せず、前記第２室外熱交換器３ｂにより、前記第１室内熱交換器５ａ及び前記第２室内熱交換器５ｂを、同時暖房運転すると共に、前記利用側貯水槽１２へ冷水を供給すると同時に、前記水循環室内熱交換器１３を冷房運転する場合、前記第１開閉弁６ａ、前記２開閉弁６ｂ、前記５開閉弁６ｅ及び前記第１絞り機構４ａを閉じ、前記第３開閉弁６ｃ、前記第４開閉弁６ｄ及び前記６開閉弁６ｆを開き、前記第１膨張弁７ａ、前記第２膨張弁７ｂ及び前記第２絞り機構４ｂを絞り状態にする一方、前記第９開閉弁６ｉ、前記第１０開閉弁６ｊ、前記第１１開閉弁６ｋ及び前記１２開閉弁６Ｌを開き、前記第２室外熱交換器内３Ｂの冷水を、前記水循環ポンプ１４により前記利用側貯水槽１２及び前記水循環室内熱交換器１３に循環させ、実線矢印で示すように冷媒を流し、破線矢印で示すように水を流す構成となっている。
【００２８】
また、第四の実施例として図７及び図８に示すように、前記第１室内熱交換器５ａ及び前記第２室内熱交換器５ｂの運転を停止し、前記第２室外熱交換器３ｂにより、前記利用側貯水槽１２へ温水を供給すると同時に、前記水循環室内熱交換器１３を暖房運転する場合、前記第２開閉弁６ｂ、前記３開閉弁６ｃ、前記４開閉弁６ｄ、前記第１膨張弁７ａ及び前記第２膨張弁７ｂを閉じ、前記第１開閉弁６ａ、前記第５開閉弁６ｅ、前記６開閉弁６ｆ及び前記第１絞り機構４ａを開き、前記第２絞り機構４ｂを絞り状態にする一方、前記第９開閉弁６ｉ、前記第１０開閉弁６ｊ、前記第１１開閉弁６ｋ及び前記１２開閉弁６Ｌを開き、前記第２室外熱交換器内３ｂの温水を、前記水循環ポンプ１４により前記利用側貯水槽１２及び前記水循環室内熱交換器１３に循環させ、実線矢印で示すように冷媒を流し、破線矢印で示すように水を流す構成となっている。
【００２９】
また、前記水循環ポンプの上流側と下流側間に、リリーフ弁を備えた第３バイパス路を設けた構成とすることにより、上流側の水圧が高くなった場合、下流側へ水をバイパスさせ安全性を確保できるようになっている。
【００３０】
また、前記第８開閉弁６ｊと前記第１０開閉弁６Ｌとの接続点に、循環水を取水する電磁弁又は手動式開閉弁からなる取水バルブを備えた蛇口を設けた構成とすることにより、台所用水やシャワー用水として利用し、熱の再利用性を高めることができる。
【００３１】
また、前記水供給タンク１０内に、水面の高さを検知し、前記第８開閉弁の開閉を制御するフロートスイッチ１０ａ　を設け、前記水供給タンク１０内の水面を常に一定に保つ構成となっている。
【００３２】
また、前記利用側貯水槽１２が温水プールや浴槽（風呂）などからなる構成となっており、前記水循環室内熱交換器１３を温水プール室または、および浴室の脱衣場などに配置してなる構成となっている。
【００３３】
以上説明したように、室外熱交換器を空気の送風による空冷式の第１室外熱交換器と、水の循環による水冷式の第２室外熱交換器とから構成し、運転状況に応じて各開閉弁を夫々開閉制御すると共に、各絞り機構及び各膨張弁の開度を制御することにより、第１室内熱交換器５ａ及び第２室内熱交換器５ｂが、冷房運転または暖房運転を同時に、またはいずれか一方のみ行うことができると共に、利用側貯水槽１２への温水または冷水の供給と、水循環室内熱交換器１３の冷房運転または暖房運転を同時に、またはいずれか一方のみ行うことができ、第１室外熱交換器３ａ及び前記第２室外熱交換器３ｂが、凝縮器と蒸発器とを選択的に行うことができ、冷房・暖房運転と温水を利用した再熱利用形の多目的用のマルチ型空気調和機となる。
【００３４】
【発明の効果】
以上のように本発明によれば、１つの室外機に空冷式と水冷式の２系統の室外熱交換器を設け、冷房・暖房運転と温水を利用した再熱利用形の多目的用のマルチ型空気調和機となる。
【図面の簡単な説明】
【図１】本発明の第一の実施例を示す冷媒回路図である。
【図２】第一の実施例による各開閉弁、絞り機構、膨脹弁の動作を示す表である。
【図３】本発明の第二の実施例を示す冷媒回路図である。
【図４】第二の実施例による各開閉弁、絞り機構、膨脹弁の動作を示す表である。
【図５】本発明の第三の実施例を示す冷媒回路図である。
【図６】第三の実施例による各開閉弁、絞り機構、膨脹弁の動作を示す表である。
【図７】本発明の第四の実施例を示す冷媒回路図である。
【図８】第四の実施例による各開閉弁、絞り機構、膨脹弁の動作を示す表である。
【図９】従来例によるマルチ型空気調和機の冷媒回路図である。
【符号の説明】
１　圧縮機
２　四方弁
３ａ　第１室外熱交換器
３ｂ　第２室外熱交換器
４ａ　　第１絞り機構
４ｂ　第２絞り機構
５ａ　第１室内熱交換器
５ｂ　第２室内熱交換器
６ａ　第１開閉弁
６ｂ　　第２開閉弁
６ｃ　第３開閉弁
６ｄ　第４開閉弁
６ｅ　第５開閉弁
６ｆ　第６開閉弁
６ｇ　第７開閉弁
６ｈ　第８開閉弁
６ｉ　第９開閉弁
６ｊ　第１０開閉弁
６ｋ　第１１開閉弁
６Ｌ　　第１２開閉弁
７ａ　第１膨張弁
７ｂ　第２膨張弁
８ａ　　第１バイパス路
８ｂ　　第２バイパス路
８ｃ　　第３バイパス路
９　水循環路
９ａ　　入口
９ｂ　出口
９ｃ　途中
１０　水供給タンク
１０ａ　　　フロートスイッチ
１１　　水道管
１２　　利用側貯水槽
１３　　水循環室内熱交換器
１４　　水循環ポンプ
１５　　リリース弁
１６　　蛇口
１６ａ　　出水バルブ
１７　　　制御部
Ａ　室外ユニット
Ｂ１　第１室内ユニット
Ｂ２　第２室内ユニット
【図１】
2004020068.tif 000003
【図２】
2004020068.tif 000004
【図３】
2004020068.tif 000005
【図４】
2004020068.tif 000006
【図５】
2004020068.tif 000007
【図６】
2004020068.tif 000008
【図７】
2004020068.tif 000009
【図８】
2004020068.tif 000010
【図９】
2004020068.tif 000011